(57)【要約】【課題】電源を自動的にオン又はオフするスイッチ装置を提供する。【解決手段】スイッチ装置は、機器と電源との電気的な接続をオンオフする制御スイッチ、制御スイッチを駆動する条件を判断する条件判定回路、電波を受信する電波受信回路、および電波受信回路で受信した電波から電力を生成する電源回路を備えている。スイッチ装置を動作させるための電波を送信する電波送信装置を空間に配置することにより、特定の空間内だけで電波受信装置で電波を受信できるようにする。スイッチ装置は、電波を受信したときに制御スイッチをオフ又はオンにするように制御し、電波を受信していないときに制御スイッチをオンはオフにする。このように制御することにより、特定の空間内では機器への電力供給を遮断し、この空間の外では、手動スイッチにより利用者が機器への電力供給を制御することができる。【選択図】図１
2008182685.tif 000002
【特許請求の範囲】
【請求項１】
電源から供給される電力により動作し、かつ前記電源に電気的に接続される回路を有する機器に組み込まれるスイッチ装置において、
特定の帯域の電波を受信する電波受信回路と、
前記電波受信回路で受信した電波から電力を生成する電源回路と、
前記電源回路で電力が生成されているか否かを判断する条件判定回路と、
前記条件判定回路によってオンオフが制御され、かつ前記機器の回路と前記電源との電気的な接続をオンオフする制御スイッチと、
を有することを特徴とするスイッチ装置。
【請求項２】
電源から供給される電力により動作し、かつ前記電源からの電力供給を制御する制御回路を有する機器に組み込まれるスイッチ装置において、
特定の帯域の電波を受信する電波受信回路と、
前記電波受信回路で受信した電波から電力を生成する電源回路と、
前記電源回路で電力が生成されているか否かを判断し、前記制御回路に出力が接続されている条件判定回路と、
を有し、
前記条件判定回路は、前記機器への電力の供給を制御する信号を出力することを特徴とするスイッチ装置。
【請求項３】
請求項１又は２において、
前記条件判定回路に出力が接続されているセンサ回路を有することを特徴とするスイッチ装置。
【請求項４】
電源から供給される電力により動作し、かつ前記電源に電気的に接続される回路を有する機器に組み込まれるスイッチ装置と、
特定の帯域の電波を送信する電波送信装置と、
を有する電源制御システムにおいて、
前記スイッチ装置は、
前記特定の帯域の電波を受信する電波受信回路と、
前記電波受信回路で受信した電波から電力を生成する電源回路と、
前記電源回路で電力が生成されているか否かを判断する条件判定回路と、
前記条件判定回路によってオンオフが制御され、かつ前記機器の回路と前記電源との電気的な接続をオンオフする制御スイッチと、
を有することを特徴とする電源制御システム。
【請求項５】
電源から供給される電力により動作し、かつ前記電源に電気的に接続される回路を有する機器に組み込まれるスイッチ装置と、
特定の帯域の電波を送信する電波送信装置と、
を有する電源制御システムにおいて、
前記スイッチ装置は、
前記特定の帯域の電波を受信する電波受信回路と、
前記電波受信回路で受信した電波から電力を生成する電源回路と、
前記電源回路で電力が生成されているか否かを判断する条件判定回路と、
を有し、
前記条件判定回路は、前記機器への電力の供給を制御する信号を出力することを特徴とすることを特徴とする電源制御システム。
【請求項６】
請求項４又は５において、
前記スイッチ装置は、前記条件判定回路に出力が接続されているセンサ回路を有することを特徴とする電源制御システム。
【請求項７】
請求項４又は５において、
手動により、前記機器の回路と前記電源との電気的な接続をオンオフする手動スイッチを有することを特徴とする電源制御システム。
【発明の詳細な説明】
【技術分野】
【０００１】
本発明は、電源による電力の供給を電波によって制御するスイッチ装置、およびスイッチ装置を有する電源制御システムに関する。
【背景技術】
【０００２】
電気を動力とする機器（家電製品、玩具）では使用する電力をバッテリもしくは商用電源から供給しており、一般的に、これら機器には、電源をオンオフするための手動で操作できるスイッチが配置されている。また、リモコンによる赤外線通信もしくは電波などの無線通信を利用して、機器に触れることなく、機器への電源供給を制御することも行われている。
【０００３】
例えば、特許文献１には、無線信号により白熱電灯の点灯、消灯状態を制御することが記載されている。また、特許文献２には電源コンセントに無線通信でオンオフするスイッチを設け、無線信号により電源供給を集中管理することが記載されている。
【特許文献１】特開２００１−６８２７３号公報
【特許文献２】特開平６−２３７４９０号公報
【発明の開示】
【発明が解決しようとする課題】
【０００４】
電力を動力とする機器の多くは、電源に接続されていることで、常時電力を消費している。また、スイッチの切り忘れも、消費電力の増大させる要因の１つである。使用していないときに機器で電力を消費していると、バッテリを動力とする機器では、使用したいときに電力が足りず使用できないという不具合が生じる。
【０００５】
特許文献１および特許文献２には、無線通信によって電力の制御を行うことが記載されているが、利用者が意図的に無線通信をすることで初めて電力の制御が開始されるものであり、利用者のスイッチの切り忘れなどに対応していない。
【０００６】
上記の問題点を鑑み、そこで本発明は、機器を使用していないとき、機器での電力の消費をなくすこと、または利用者のスイッチの切り忘れなどを防止することを可能とする電波によって制御されるスイッチ装置、およびこのスイッチ装置を含む電源制御システムを提供することを課題とする。
【課題を解決するための手段】
【０００７】
本発明に係るスイッチ装置は、上記の課題を達成するため、電波により制御されるスイッチであり、電源と、機器に組み込まれている駆動回路または制御回路など回路との電気的な接続を制御するものである。本発明のスイッチ装置は、機器と電源との電気的な接続をオンオフする制御スイッチ、制御スイッチを駆動する条件を判断する条件判定回路、電波を受信する電波受信回路、および電波受信回路で受信した電波から電力を生成する電源回路を有する。
【０００８】
なお、本発明のスイッチ装置が接続される機器の回路に特段の制約はなく、機器に含まれる回路であればよい。例えば、ＬＥＤなどの素子および素子を電源に接続するための配線でなる回路のような単純な回路、モータを制御する制御回路、ＬＥＤの輝度を調節する制御回路、マイクロコンピュータを含む大規模集積回路などである。
【０００９】
電波受信回路はアンテナを有し、アンテナの構造により特定の帯域の電波を受信する。条件判定回路では、電源回路で電源が生成しているか、生成していないかを判断し、その判断に基づいて、制御スイッチをオンオフする。
【００１０】
例えば、特定の帯域の電波を受信した場合に制御スイッチをオフにし、他方、特定の帯域の電波を受信していない場合に、すなわち、電源回路で電力が生成されていないときには制御スイッチをオンにする。このようにすることで、スイッチ装置が特定の帯域の電波を受信できるエリアでは、機器への電源供給を自動的に停止させることができる。
【００１１】
また、別の例では、特定の帯域の電波を受信した場合に制御スイッチをオンにし、他方、特定の帯域の電波を受信していない場合に、すなわち、電源回路で電力が生成されていないときには制御スイッチをオフにする。このようにすることで、スイッチ装置が特定の帯域の電波を受信できるエリアでは、機器への電源供給を自動的に開始させることができる。
【００１２】
スイッチ装置を上述のように動作させるため、本発明の電源制御システムは、機器に組み込まれたスイッチ装置と、特定の帯域の電波を送信する送信装置とを有する。
【００１３】
すなわち、本発明の電源制御システムは、送信装置から電波を送信することで、スイッチ装置が特定帯域の電波を受信できる空間を規定する。この規定された空間内で、スイッチ装置により、機器への電源供給の停止または開始を自動的に行うようにする。
【００１４】
本発明のスイッチ装置にはセンサを設けることができる。その場合は条件判定回路において、センサ回路の出力および電源回路の出力から、制御スイッチのオンオフする条件を判断する。センサとしては、環境をモニタする各種のセンサ（光センサ、熱センサ、湿度センサ、振動センサ、加速度センサ、ガスセンサ、磁界センサ、回転センサなど）、および各種の生体センサ（指紋センサ、静脈センサ、網膜センサなど）などを用いることができる。
【００１５】
機器に、電力供給の制御、動作状態の制御などを行う制御回路を有する場合は、本発明のスイッチ装置は、制御スイッチを省略することもできる。この場合、判定回路の出力を機器の制御回路に接続し、機器の制御回路で判定回路の出力信号をもとに、電力の供給を制御する。
【発明の効果】
【００１６】
本発明は、電波によって、機器と電源との電気的な接続を自動的に制御することが可能になる。例えば、利用者が機器のスイッチを切り忘れていても、自動的に機器への電力供給を遮断させることが可能になる。このように、機器への電力供給を自動的に遮断させることで、機器での電力消費を抑えることができる。
【発明を実施するための最良の形態】
【００１７】
図面を用いて、以下に本発明の実施の形態および実施例を説明する。だたし、本発明は多くの異なる態様で実施することが可能であり、本発明の趣旨およびその範囲から逸脱することなくその形態および詳細を様々に変更し得ることは当業者であれば容易に理解される。従って、実施の形態および実施例の記載内容に限定して解釈されるものではない。なお、本発明の実施の形態および実施例を説明するための全図において、同一部分または同様な機能を有する部分には同一の符号を付し、その繰り返しの説明は省略する。
【００１８】
図１を用いて、本発明のスイッチ装置および本発明の電源制御システムについて説明する。
【００１９】
スイッチ装置１００は、電源１０２から供給される電力で動作する機器に組み込まれている。スイッチ装置１００は、機器に組み込まれている回路１０３へ電源１０２からの電力供給を制御する装置である。本発明の電源制御システムは、スイッチ装置１００と共に、スイッチ装置１００を動作させるための電波を送信する電波送信装置１０４を有する。
【００２０】
電源１０２は、商用電源、機器に組み込まれている電池（乾電池、二次電池）などである。回路１０３には特段の制約はなく、電源１０２と電気的に接続することにより動作する各種の回路である。例えば、ＬＥＤおよびＬＥＤに接続された配線でなる単純な回路、モータを制御する制御回路、ＬＥＤなどの輝度を調節する制御回路、またはマイクロコンピュータを含む大規模集積回路などである。
【００２１】
スイッチ装置１００は、制御スイッチ１１１、条件判定回路１１２、電源回路１１３、アンテナ１１４ａを有する電波受信回路１１４、補助電源１１５およびセンサ回路１１６を有する。後述するが、補助電源１１５およびセンサ回路１１６は必要に応じて設ければよい。
【００２２】
制御スイッチ１１１は、電源１０２と回路１０３の電気的な接続をオンオフするスイッチであり、条件判定回路１１２により制御される。条件判定回路１１２には電源回路１１３およびセンサ回路１１６の出力が入力されている。
【００２３】
電波受信回路１１４はアンテナ１１４ａを有し、電波送信装置１０４から発せられた電波を受信する。アンテナ１１４ａは電波送信装置１０４から送信される帯域の電波を受信するのに適した構造であればよい。例えば、アンテナ１１４ａには、チップアンテナ、ダイポールアンテナ、ループアンテナなどを用いることができる。
【００２４】
電源回路１１３は整流回路およびレギュレータで構成することができる。電波受信装置１１４で受信した電波信号を整流回路にて整流し、レギュレータを使用することで安定した定電圧を生成することができる。生成された電力は、センサ回路１１６、条件判定回路１１２および制御スイッチ１１１の電力に使用される。また、補助電源１１５の充電電力として使用される。
【００２５】
本発明のスイッチ装置１００は制御スイッチ１１１を駆動するのに、受信した電波からで生成した電力を使用し、主電源（電源１０２）を使用しないため、スイッチ装置１００を機器に実装しても、主電源による消費電力を増加させることがない。
【００２６】
補助電源１１５は必要に応じて設ければよい。補助電源１１５を用いることで、センサ回路１１６、条件判定回路１１２および制御スイッチ１１１の電力に使用することができる。電源回路１１３で電力を生成できないときでも補助電源１１５から電力を供給することで、スイッチ装置１００を動作することが可能である。また、補助電源１１５は電力供給が遮断された機器を制御するための電力として、機器の回路１０３に供給することもできる。
【００２７】
補助電源１１５には、例えば、電源回路１１３で生成される電力で充電可能な電気二重層コンデンサを用いることができる。また、補助電源１１５に太陽電池を用いることもできる。あるいは、補助電源１１５には、リチウム電池、アルカリマンガン電池、酸化銀電池、空気亜鉛電池、水銀電池などの一次電池（乾電池）を用いることもできる。一次電池を用いる場合、ボタン型電池を用いるとよい。また、補助電源１１５は、２次電池および一次電池双方を備えていてもよい。
【００２８】
条件判定回路１１２は電源回路１１３にて生成された電力で駆動される。電源回路１１３およびセンサ回路１１６の出力信号をもとに、制御スイッチ１１１のオン、オフが制御される。
【００２９】
条件判定回路１１２では、電源回路１１３から電力が供給されているか否かを判断し、制御スイッチ１１１のオン、オフを制御する。すなわち、本発明のスイッチ装置１００は、電波受信回路１１４で電波を受信しているか否かを条件に、制御スイッチ１１１のオン、オフを制御する。
【００３０】
制御スイッチ１１１のオン、オフを制御する条件として、電波受信回路１１４で電波送信装置１０４から送信される特定の帯域の電波を受信した場合に、制御スイッチ１１１をオフにする条件とすることができる。この場合、スイッチ装置１００の電波受信回路１１４で、電波送信装置１０４から送信される特定の帯域の電波を受信できるエリアでは、機器の回路１０３への電源供給を自動的に遮断させることができ、機器での電力消費をなくすことができる。
【００３１】
また、別の条件として、電波受信回路１１４で電波送信装置１０４から送信される特定の帯域の電波を受信した場合に、制御スイッチ１１１をオンにする条件とすることができる。この場合、スイッチ装置１００が特定の帯域の電波を受信できるエリアでは、回路１０３への電源供給を自動的に開始させることができる。
【００３２】
また、電源１０２から電力が供給される機器に、利用者が手動でオンオフを制御する手動スイッチ１０５を設けてもよい。図１の例では、手動スイッチ１０５は電源１０２と制御スイッチ１１１の間に設けられているが、制御スイッチ１１１と回路１０３の間に設けることもできる。
【００３３】
電波を受信した場合に制御スイッチ１１１をオフにするように制御する場合は、制御スイッチ１１１に電力が供給されないときに、常にオン状態となるように制御スイッチ１１１を構成することが好ましい。この場合、特定の電波を受信できるエリア内では、制御スイッチ１１１により、電源１０２から機器への電力の供給を自動的に遮断することができる。他方、エリア外部では、手動スイッチ１０５により利用者が機器への電力供給を制御することが可能になる。
【００３４】
電波を受信した場合に制御スイッチ１１１をオンにするように制御する場合は、制御スイッチ１１１に電力が供給されないときに、常にオフ状態となるように制御スイッチ１１１を構成することが好ましい。この場合、特定の電波を受信できるエリア内では、利用者が手動スイッチ１０５によって、電源１０２から機器への電力供給を制御することが可能になる。他方、エリア外部では、制御スイッチ１１１により電源１０２から機器への電力の供給を自動的に遮断することができる。
【００３５】
このように、本発明によって、手動スイッチ１０５を利用者がオフにすることを忘れていても、電波の受信の有無により、機器への電力供給を自動的に遮断させることが可能である。また、機器への電力供給を自動的に遮断させることで、機器での電力消費を抑えることができる。
【００３６】
センサ回路１１６は必要に応じて設ければよい。センサ回路１１６を設けることで、機器への電力供給を制限する条件として、電源回路１１３での電源生成の有無の他、センサ回路１１６での検出結果を追加することができる。
【００３７】
センサ回路１１６のセンサに、機器が使用される環境を検出する環境センサ、利用者を区別する生体センサを用いることができる。環境センサとして、例えば、光センサ、熱センサ、湿度センサ、振動センサ、加速度センサ、ガスセンサ、磁界センサまたは回転センサなどを用いることができる。生体センサとしては、指紋センサ、静脈センサまたは網膜センサなどを用いることができる。
【００３８】
例えば、センサ回路１１６のセンサに光センサを用いることで、スイッチ装置１００が特定帯域の電波を受信できるエリア内では、電源回路１１３の出力から電波を受信していること、およびセンサ回路１１６の出力から暗いという、二つの条件を満たした場合に、制御スイッチ１１１を自動的にオフするように制御することができる。なお、センサ回路１１６のセンサは１つだけでなく、複数種類のセンサを用いることができる。
【００３９】
電波送信装置１０４は、電波受信回路１１４で受信可能な特定の帯域の電波を送信するための装置である。電波は電波送信装置１０４のアンテナ１０４ａから送信される。電波送信装置１０４を動作する電力は商用電源でも、電池でもよい。また、電波送信装置にも、電波受信回路および電源回路を設けることで、受信した電波から電力を生成し、電波送信装置１０４を動作させるようにすることもできる。
【００４０】
収納ケース、キャビネット、ショーケース、ショーウィンドウ、列車および航空機などの乗り物、会議室、映画館、美術館、公共スペースなどに電波送信装置１０４を設けることで、特定帯域の電波を受信できるエリアをつくる。この結果、本発明のスイッチ装置１００を、このエリア内において、機器のオンとオフを電波の受信により自動的に制御するエリアセンサとして使用することができる。
【実施例１】
【００４１】
本実施例では、スイッチ装置を具備する電源制御システムの具体例を、玩具および玩具の収納ケースを例に説明する。図２は、本実施例の電源制御システムを示す図である。図２の電源制御システムは、玩具２００と玩具を収納する収納ケース２０１を有する。
【００４２】
玩具２００は、電源１０２からの電力供給によりＬＥＤ２０３が発光する。電源１０２は、玩具２００に内蔵されており、例えば乾電池または二次電池が用いられる。
【００４３】
玩具２００には、ＬＥＤ２０３と電源１０２との接続のオンオフを制御するためのスイッチ装置１００、および手動スイッチ１０５が設けられている。スイッチ装置１００の構成は、図１と同様であり、制御スイッチ１１１、条件判定回路１１２、電源回路１１３、アンテナ１１４ａを有する電波受信回路１１４、補助電源１１５およびセンサ回路１１６を有する。なお、補助電源１１５およびセンサ回路１１６は必要に応じて設ければよい。
【００４４】
収納ケース２０１にはアンテナ１０４ａを有する電波送信装置１０４が組み込まれている。図２の例では、アンテナ１０４ａにループアンテナを用い、アンテナ１０４ａを収納ケース２０１の底に設けた例を示している。なお、電波送信装置１０４の電力は、商用のＡＣ電源、電池から供給することができる。また、電波送信装置１０４で受信した電波から電力を生成し、この電力で電波送信装置１０４を動作させることができる。
【００４５】
従来では、玩具２００の利用者が手動スイッチ１０５をオフにせずに収納ケース２０１に玩具２００をしまう、或いは収納ケース２０１の中で手動スイッチ１０５が意図せずオンになってしまうと、電源１０２として使用している電池が消費されてしまい、次に、収納ケース２０１から取り出して玩具２００で遊ぼうとしても、玩具２００が動作できないことがある。本実施例の電源制御システムは、このような不都合を解消するための電源制御システムである。
【００４６】
そのため、本実施例のスイッチ装置１００は、特定の電波を受信し、電源回路１１３で電源を生成した場合、制御スイッチ１１１をオフにし、電波を受信していないときは制御スイッチ１１１を常にオンするように構成されている。この場合、制御スイッチ１１１は電力が供給されていないときにオンになるスイッチが用いられる。
【００４７】
また、電波送信装置１０４から電波を送信することにより、収納ケース２０１内で、スイッチ装置１００が特定の電波を受信し、電源回路１１３で電源を生成できるようにする。
【００４８】
玩具２００を収納ケース２０１に収納すると、スイッチ装置１００は電波送信装置１０４より送信された電波が電波受信回路１１４で検出される。条件判定回路１１２では、電源回路１１３からの電力が供給されることにより、制御スイッチ１１１をオフ状態にする。この結果、電源１０２からＬＥＤ２０３への電力供給が遮断される。従って、手動スイッチ１０５をオン状態にしたまま玩具２００を収納ケース２０１に収めても、収納ケース２０１に収納することで、ＬＥＤ２０３への電力供給を自動的に遮断することができる。
【００４９】
収納ケース２０１から玩具２００が取り出されると、スイッチ装置１００で電波受信範囲外になり、電源回路１１３では電源を生成しなくなる。制御スイッチ１１１へ電力が供給されないため、オン状態になる。制御スイッチ１１１がオン状態のため、玩具２００は手動スイッチ１０５でＬＥＤ２０３点灯することができる状態になる。
【００５０】
本実施例の場合、センサ回路１１６を設けて、照度を検出するとよい。電源回路１１３での電力が生成され、かつセンサ回路１１６で検出された照度をもとに収納ケース２０１が暗くなったことを検出したときに、制御スイッチ１１１をオフにするようにすることが可能である。このように制御することで、例えば、収納ケース２０１に図２に示すように蓋を設けた場合のように、内部を暗くできるように収納ケース２０１を構成した場合は、収納ケース２０１に玩具２００を収めて、収納ケース２０１が閉じられた状態のとき、玩具２００の電力を遮断することができる。また、収納ケース２０１に蓋などが無くとも、夜間になると、収納ケース２０１の中であれば自動的に玩具２００の電源を切ることができる。
【００５１】
電波送信装置１０４の起動は、収納ケース２０１の蓋が閉められたことに連動させることが好ましい。蓋がない場合は収納ケース２０１が置かれている部屋の室内の照明装置の点灯、消灯に連動することもできる。照明装置が消されたときに、電波送信装置１０４から電波を送信するようにする。
【００５２】
なお、本実施例では、玩具２００および収納ケース２０１を例に電源制御システムを説明したが、本実施例の電源制御システムは、電力で動作する機器および機器を収納するケース又は収納スペースに適用することが可能である。
【実施例２】
【００５３】
本実施例では、本発明のスイッチ装置を有する電源用アダプタ、および電気製品量販店におけるショースペースなどの空間内に本発明の電源制御システムを適用した例について説明する。本実施例の電源制御システムは、ショースペースに設けられた商用電源用のコンセントに、スイッチ装置を有するアダプタを接続し、ショースペース内に電波送信装置を配置することにより構成される。
【００５４】
図３は本実施例のアダプタのブロック回路図である。図４は本実施例のアダプタの外観を示す図である。アダプタは、図３および図４に示すように、商用電源用コンセントに差し込まれるプラグ３０２、機器のプラグを差し込むためのコンセント３０３を有する。スイッチ装置３００は、アダプタの筐体に内蔵されている。スイッチ装置３００は、電波の受信をすることによって、プラグ３０２とコンセント３０３との電気的な接続を制御する。
【００５５】
スイッチ装置３００は、図３に示すように制御スイッチ３１１、条件判定回路３１２、電源回路３１３、アンテナ３１４ａを有する電波受信回路３１４、およびセンサ回路３１６を有し、さらに、条件判定回路３１２に接続されるモード切替スイッチ３０５を有する。モード切替スイッチ３０５は、図４に示すように手動で制御できるスイッチである。なお、モード切替スイッチ３０５は手動ではなく、無線で制御できるようにすることもできる。
【００５６】
モード切替スイッチ３０５は、スイッチ装置３００の動作モードを切り替えるためのスイッチであって、電源回路３１３で電力が生成されているときに、制御スイッチ３１１をオンにするか、オフにするかを切り替えるためのスイッチである。条件判定回路３１２は、モード切替スイッチ３０５がオンのときは、制御スイッチ３１１をオンとし、モード切替スイッチ３０５がオフのときは制御スイッチ３１１をオフにする。
【００５７】
図３のスイッチ装置３００はモード切替スイッチ３０５を有している他は、具体的な構成および動作は、図１のスイッチ装置１００と同様のため、詳細な説明を省略する。
【００５８】
センサ回路３１６は必要に応じて設ければよい。本実施例では、センサ回路３１６に光センサ３１６ａを用いる例を示す。図４に示すように、アダプタの上面に光センサ３１６ａが設けられている。
【００５９】
本実施例では、ショースペースや店内などの特定の空間に、電波受信回路３１４が受信可能な特定帯域の電波を送信する電波送信装置を配置する。さらに、この空間に設けられた商用電源用のコンセントに、図３および図４に示すアダプタを差し込むことで、電源制御システムを構築する。アダプタに、機器のプラグを差し込むことで、アダプタに内蔵されたスイッチ装置３００で、この機器の電源のオン、オフの制御が可能になる。
【００６０】
アダプタに接続された機器の電源を自動的にオフにしたい場合は、モード切替スイッチ３０５をオフに設定する。アダプタの電波受信回路３１４で特定帯域の電波を受信した場合、条件判定回路３１２は、制御スイッチ３１１をオフにする。
【００６１】
また、センサ回路３１６を用いた場合は、制御スイッチ３１１をオフにする条件に、センサ回路３１６からの出力信号を加えることができる。例えば、光センサ３１６ａを用いることで、ショースペースの明るさを検出することができる。条件判定回路３１２において、センサ回路３１６からの出力信号により店内の照度が暗いと判断し、かつ電源回路３１３の出力により電波を受信していると判断したとき、制御スイッチ３１１をオフにする。
【００６２】
アダプタに接続された機器の電源を自動的にオンにしたい場合は、モード切替スイッチ３０５をオンに設定する。アダプタの電波受信回路３１４で特定帯域の電波を受信した場合、条件判定回路３１２は制御スイッチ３１１をオンにする。
【００６３】
また、センサ回路３１６を用いた場合は、制御スイッチ３１１をオンにする条件に、センサ回路３１６からの出力信号を加えることができる。光センサ３１６ａを用いることで、機器がある空間の明るさを条件に追加することができる。条件判定回路３１２において、センサ回路３１６からの出力信号により空間が明るいと判断し、かつ電源回路３１３の出力により電波を受信していると判断したとき、制御スイッチ３１１をオンにする。
【００６４】
以上のように、アダプタのモード切替スイッチ３０５で、アダプタの動作モードを切替え、かつ光センサ３１６ａを有するセンサ回路３１６を用いることで、店舗の営業時間になると機器に電源を供給できる状態にし、営業時間外では、機器への電力の供給を遮断することができる。このように、特定の空間内であり、かつ明るい状態だけ機器を動作させることができるため、例えば、電気製品量販店などでは、客が機器を試用するため空間（ショースペース）に、本発明の電源制御システムを適用することで、営業時間内だけ試用の機器の電源がオンになるようにすることができる。
【実施例３】
【００６５】
列車、バス、航空機などの乗り物を利用するときは、ペースメーカなどの人命に影響の出る電波を発する機器の利用が制限され、携帯電話の場合マナーモードにするか、電源をオフにすることが求められている。また、会議や映画鑑賞、美術鑑賞時などは、マナーとして、携帯電話の受信モードをマナーモードにすることが行われている。本実施例では、本発明のスイッチ装置を携帯電話に実装することにより、乗り物や公共の施設など特定の空間において、携帯電話を自動的にマナーモードにする電源制御システムを説明する。
【００６６】
図５は、本発明のスイッチ装置を実装した携帯電話の分解図である。図５に示すように、携帯電話は、本体（Ａ）４０１、本体（Ｂ）４０２、筐体４０３、操作キー４０４、音声入力部４０５、音声出力部４０６、回路基板４０７、表示パネル（Ａ）４０８、表示パネル（Ｂ）４０９、蝶番４１０、透光性材料部４１１を有する。
【００６７】
回路基板４０７には、電源の供給や、受信モードの切り替えなどを制御する制御回路４１２、およびスイッチ装置４００が実装されている。本実施例のスイッチ装置４００は、チップ状であり、回路基板４０７に部品として実装しやすい形態となっている。
【００６８】
図６は、本実施例のスイッチ装置４００のブロック回路図である。図６に示すように、スイッチ装置４００は条件判定回路４２２、電源回路４２３、アンテナ４２４ａを有する電波受信回路４２４、補助電源４２５およびセンサ回路４２６を有する。
【００６９】
図６のスイッチ装置４００の具体的な構成および動作は、図１のスイッチ装置１００と同様のため、詳細な説明を省略する。図１のスイッチ装置１００と異なる点は、条件判定回路４２２の出力が携帯電話の制御回路４１２に接続されている点である。
【００７０】
携帯電話を強制的にマナーモードにしたい空間に、電波受信回路４２４で受信できる特定帯域の電波を送信する電波送信装置を配置することで、携帯電話の電源制御システムを構築することができる。例えば、電車や、バス、航空機、列車などの乗り物、病院、美術館、映画館などの公共施設、および会議室のような携帯電話の着信音を鳴らしたくない空間などに、電波送信装置を設ける。
【００７１】
携帯電話の電波受信回路４２４で特定帯域の電波を受信すると、電源回路４２３で電力が生成される。条件判定回路４２２において、電源回路４２３で電力が生成されていることが検出されると、携帯電話をマナーモードに移行するための制御信号を携帯電話の制御回路４１２に出力する。このように制御することにより、特定の空間内で、携帯電話を強制的にマナーモードに移行させことができる。なお、マナーモードに移行させる代わりに、携帯電話の電源が切れるように制御してもよい。
【００７２】
電波受信回路４２４で特定帯域の電波を受信しない場合は、電源回路４２３で電力が生成されない。条件判定回路４２２において、電源回路４２３で電力が生成されていないことが検出されると、条件判定回路４２２は、マナーモードを解除するまたは電源をオンにする制御信号を出力する。或いは、電力が条件判定回路４２２に供給されないため、条件判定回路４２２から信号を出力させず、条件判定回路４２２の信号が出力されていないときは、制御回路４１２によって携帯電話の受信モードおよび電力が制御されるようにする。
【００７３】
センサ回路４２６に加速度センサを用いることで、運行している乗り物内に携帯電話があることを検出することが可能になる。加速度センサで一定期間加速度が検出される場合、条件判定回路４２２において、運行している乗り物内に携帯電話が置かれていると判定させる。この場合、条件判定回路４２２では、電波を受信しているか否か、および加速度センサで加速度を一定期間検出されるか否かを判定する。電波を受信し、かつセンサ回路４２６で加速度が検出された場合、携帯電話をマナーモードにする、または電源をオフするための信号を、条件判定回路４２２から制御回路４１２に出力する。
【００７４】
なお、本実施例では、携帯電話を例に説明したが、電波を発する各種の電子機器、例えば、デジタルカメラ、携帯ゲーム機、携帯型の音楽再生機、画像再生機などに、本実施例のスイッチ装置を適用することができる。本実施例のスイッチ装置を適用することで、特定の空間内では、各種の電子機器の電源を自動的にオフして、電源がオンにならないようにし、その空間の外では、利用者が電源のオンオフを制御できるようにすることができる。このように、電子機器の電源を制御することにより、電子機器の電波によって、ペースメーカや飛行機の電子機器など人命に影響を与える電子機器の誤動作を防ぐことができる。
【図面の簡単な説明】
【００７５】
【図１】本発明のスイッチ装置および電源制御システムの構成例を示すブロック図。
【図２】本発明の電源制御システムを実施した玩具および玩具の収納ケースの構成例を示す図。
【図３】本発明の電源制御システムを実施するためのアダプタのブロック回路図。
【図４】図３の本発明のアダプタの外観図。
【図５】本発明のスイッチ装置を実装した携帯電話の分解図。
【図６】図５の携帯電話に実装されるスイッチ装置のブロック回路図。
【符号の説明】
【００７６】
１００    スイッチ装置
１０２    電源
１０３    機器に組み込まれている回路
１０４    電波送信装置
１０４ａ  アンテナ
１０５    手動スイッチ
１１１    制御スイッチ
１１２    条件判定回路
１１４    電波受信回路
１１４ａ  アンテナ
１１５    補助電源
１１６    センサ回路
２００    玩具
２０１    収納ケース
３００    スイッチ装置
３０２    プラグ
３０３    コンセント
３０５    モード切替スイッチ
３１１    制御スイッチ
３１２    条件判定回路
３１４    電波受信回路
３１４ａ  アンテナ
３１６    センサ回路
３１６ａ  光センサ
４００    スイッチ装置
４０１    本体（Ａ）
４０２    本体（Ｂ）
４０３    筐体
４０４    操作キー
４０５    音声入力部
４０６    音声出力部
４０７    回路基板
４０８    表示パネル（Ａ）
４０９    表示パネル（Ｂ）
４１０    蝶番
４１１    透光性材料部
４１２    制御回路
４２２    条件判定回路
４２４    電波受信回路
４２４ａ  アンテナ
４２５    補助電源
４２６    センサ回路
【図１】
2008182685.tif 000003
【図２】
2008182685.tif 000004
【図３】
2008182685.tif 000005
【図４】
2008182685.tif 000006
【図５】
2008182685.tif 000007
【図６】
2008182685.tif 000008